(57)【要約】【課題】            暖房機の置台の形状や大きさに関係なく取付けできる暖房機の置台保護部材の構造に関する。【解決手段】        暖房機の熱源１と熱源１を囲む枠体Ａとを取付けた置台２において、置台２の周縁には床面と接する床面接触部２ａと、床面接触部２ａの周縁から外方に向けて立ち上げた周壁部２ｂを備え、該周壁部２ｂは４箇所のコーナ部を構成する曲線部４と、曲線部４の間に位置する直線部５もしくは湾曲部６とによって構成している。置台２と床面との間に配置する保護部材７の一部は周壁部２ｂの縁部３に伸ばされて縁部３に係合保持し、保護部材７は曲線部４を除く直線部５もしくは湾曲部６のみに配置している。保護部材７が係合保持する直線部５や湾曲部６の周壁部２ｂの縁部３は置台２の大きさや形状が異なっても、形状が大きく異なることがないから、置台２を選ばない汎用性の高い保護部材７が提供できる。【選択図】          図１
2007147182.tif 000002
【特許請求の範囲】
【請求項１】
暖房装置の熱源（１）と、その熱源（１）を囲むように配置した枠体（Ａ）とが取付けられる暖房装置の置台（２）において、
該置台（２）は床面と接する床面接触部（２ａ）と、該床面接触部（２ａ）から外方に立ち上げた周壁部（２ｂ）とによって、皿状に形成されており、
前記周壁部（２ｂ）の縁部（３）は、４箇所のコーナ部を構成する曲線部（４）と、この曲線部（４）を連続する直線部（５）もしくは曲率半径の大なる湾曲部（６）とによって形成し、
前記床面接触部（２ａ）と床面との間に配置された保護部材（７）は、その一部が前記周壁部（２ｂ）の縁部（３）に伸ばされてこの縁部（３）に係合保持すると共に、
前記保護部材（７）は、前記曲線部（４）を除く前記直線部（５）もしくは湾曲部（６）の周壁部（２ｂ）の縁部（３）にのみに係合保持されていることを特徴とする暖房装置の置台保護部材。
【請求項２】
前記保護部材（７）は前記曲線部（４）以外の床面接触部（２ａ）に複数箇所配置されていることを特徴とする請求項１記載の暖房装置の置台保護部材。
【請求項３】
前記保護部材（７）は同一断面を有する棒状の柔軟性素材から切り出された単片によって構成され、前記保護部材（７）は４箇所の前記周壁部（２ｂ）の直線部（５）もしくは湾曲部（６）にそれぞれ配置されていることを特徴とする請求項２記載の暖房装置の置台保護部材。
【請求項４】
前記保護部材（７）は前記周壁部（２ｂ）の外側面から内側面に向けて形成し、周壁部（２ｂ）の縁部（３）に係合する係合部（７ａ）を設け、
保護部材（７）の係合部（７ａ）が周壁部（２ｂ）の縁部（３）に係合し、その一部が床面接触部（２ｂ）の下部に伸ばされていることを特徴とする請求項１から請求項３のいずれか１項に記載した暖房装置の置台保護部材。
【請求項５】
前記置台（２）の周壁部（２ｂ）の縁部（３）を外側に巻き込んだカーリング部（８）を設け、
前記保護部材（７）の係合部（７ａ）は該カーリング部（８）に係合する形状で形成すると共に、
保護部材（７）の係合部（７ａ）がカーリング部（８）に係合し、その一部が床面接触部（２ｂ）の下部に伸ばされていることを特徴とする請求項１から請求項３のいずれか１項に記載した暖房装置の置台保護部材。
【発明の詳細な説明】
【技術分野】
【０００１】
この発明は、暖房装置の置台に装着する保護部材に関するものである。
【背景技術】
【０００２】
暖房機の底板を兼ねる置台の上には熱源となるバーナとバーナに燃料を供給する燃料タンクとを配置し、このバーナや燃料タンクを囲むように枠体を配置している。そして、ファンヒータなどの温風暖房機は、枠体内に燃焼空気を供給するための燃焼ファンや、温風を吹き出すための室内対流ファンを備えており、これらのファンを駆動するためのファンモータ等が配置されている。
【０００３】
最近の住宅は、フローリングの床面の部屋が増えてきており、フローリングの床面の部屋で暖房機を使用する時は、枠体内に備えた燃焼ファンや室内対流ファンを駆動させるファンモータから発生する振動が置台を介して床面に伝わって、カタカタという音を発生させることがある。
【０００４】
また、フローリングの床面は滑りやすくなっているため、地震やその他の衝撃によって暖房機本体が床面上を滑って移動してしまうことがあり、対震消火装置が正常に作動しない恐れがあった。また、暖房機が滑ると床面に傷がつくことがあった。この為、置台の下面にゴム体あるいは同等の摩擦力を有する保護部材を取り付けて、暖房機が床面を滑らないようにして、床面の傷の防止や安全性の向上を図った提案がある（特許文献１参照）。    
【特許文献１】実開昭４８−７７９５７号公報
【発明の開示】
【発明が解決しようとする課題】
【０００５】
上記の特許文献１の保護部材は、置台の下面全体の形状に一致するように形成したものであるが、置台の大きさや形状は製造メーカーや暖房機の種類や能力などによって異なっている為、置台のサイズや形状ごとに保護部材を用意しなければならず、保護部材の汎用性が低いものであった。
【課題を解決するための手段】
【０００６】
この発明は上記の課題を解決するもので、暖房装置の熱源１と、その熱源１を囲むように配置した枠体Ａとが取付けられる暖房装置の置台２において、該置台２は床面と接する床面接触部２ａと、該床面接触部２ａから外方に立ち上げた周壁部２ｂとによって、皿状に形成されており、前記周壁部２ｂの縁部３は、４箇所のコーナ部を構成する曲線部４と、この曲線部４を連続する直線部５もしくは曲率半径の大なる湾曲部６とによって形成し、前記床面接触部２ａと床面との間に配置された保護部材７は、その一部が前記周壁部２ｂの縁部３に伸ばされてこの縁部３に係合保持すると共に、前記保護部材７は、前記曲線部４を除く前記直線部５もしくは湾曲部６の周壁部２ｂの縁部３のみに係合保持されていることを特徴とする。
【０００７】
また、保護部材７は前記曲線部４以外の床面接触部２ａに複数箇所配置するものとしたから、保護部材７の汎用性が高くなると共に、保護部材７を取付ける位置の自由度も高くなった。
【０００８】
また、保護部材７は同一断面を有する棒状の柔軟性素材から切り出された単片によって構成され、前記保護部材７は４箇所の前記周壁部２ｂの直線部５もしくは湾曲部６にそれぞれ配置することで、保護部材７は容易に製造でき、安価に提供できるものである。
【０００９】
また、保護部材７は前記周壁部２ｂの外側面から内側面に向けて形成し、周壁部２ｂの縁部３に係合する係合部７ａを設け、保護部材７の係合部７ａが周壁部２ｂの縁部３に係合し、その一部が床面接触部２ｂの下部に伸ばすものであり、暖房機本体を持ち上げても保護部材７が外れることはない。
【００１０】
また、置台２の周壁部２ｂの縁部３を外側に巻き込んだカーリング部８を設け、前記保護部材７の係合部７ａは該カーリング部８に係合する形状で形成すると共に、保護部材７の係合部７ａがカーリング部８に係合し、その一部が床面接触部２ｂの下部に伸ばすものであり、保護部材７は確実に置台２に係合することができる。
【発明の効果】
【００１１】
この発明は、置台２の周壁部２ｂの縁部３に係合保持する保護部材７を設け、この保護部材７の一部を置台２の床面接触部２ａと床面との間に位置させたから、置台２の床面接触部２ａが直接床面と接触することはなく、床面を傷から守ることができるようになった。また、この保護部材７は、置台２の周壁部２ｂの４箇所のコーナ部を構成している曲線部４を除く直線部５もしくは湾曲部６にのみ係合保持させたものであり、置台２の大きさや形状によって置台２の直線部５や湾曲部６の寸法は異なっても、保護部材７を係合する置台２の周壁部２ｂや縁部３の形状は大きく異なることはないものであり、様々な置台に取り付けることができる汎用性の高い保護部材７となった。
【００１２】
また、保護部材７は曲線部４以外の床面接触部２ａにそれぞれ複数箇所取り付けたものであり、保護部材７を取付ける位置の自由度が高くなると共に、保護部材７の材料費を低減することができた。
【００１３】
また、この発明の保護部材７は棒状の柔軟性素材から切り出した単片によって構成したものであり、保護部材７は所定寸法に連続的に切り出すことで、容易に同じ寸法の保護部材７を製造することができるから、製造コストを大幅に低減することができた。
【００１４】
また、保護部材７には置台２の周壁部２ｂの縁部３に係合する係合部７ａを設け、この係合部７ａは縁部３を覆うように縁部３で折り返して形成しており、この折り返したＵ字状の溝の幅を縁部３の厚みよりも狭く設定することで、柔軟性素材で形成した保護部材７の係合部７ａが縁部３に確実に係合保持することができるようになったから、暖房機を持ち上げても保護部材７が置台２から外れることはない。
【００１５】
また、置台２の周壁部２ｂの縁部３を外側にカールさせたカーリング部８を設け、前記保護部材７の係合部７ａは前記カーリング部８に係合する形状で形成し、保護部材７の係合部７ａの内径をカーリング部８の外径よりも小さく設定することで、柔軟性素材で形成した保護部材７は係合部７ａの内周面がカーリング部８の外周面を押圧することでカーリング部８に確実に係合することができるようになった。
【実施例】
【００１６】
図に示す実施例によってこの発明を説明すると、１は暖房機の熱源、２は熱源１が配置される暖房機の底板を兼ねる略長方形からなる置台、Ａは置台２の上に取り付けた枠体であり、図に示す実施例の暖房機はファンヒータと呼ばれる燃焼ガスを室内に放出するタイプの温風暖房機であり、９は置台２の上に設置する熱源１を構成するバーナ、９ａはバーナ９の上部に連続する燃焼室、１０は枠体Ａ内に配置した燃料タンク、１１は燃料タンク１０の上面に取り付けた燃料ポンプ、１２は燃料ポンプ１１とバーナ９とを結ぶ燃料パイプ、１３はバーナ９に燃焼空気を供給する燃焼ファン、１４は燃焼ファン１３を駆動するファンモータ、１５はバーナ９内を加熱して燃焼可能にする点火ヒータであり、予め点火ヒータ１５に通電してバーナ９を高温にしておき、燃料ポンプ１１と燃焼ファン１３を作動すると燃料タンク１０の燃料がバーナ９内に送られ、バーナ９に送られた燃料は気化して点火ヒータ１５の熱で着火し、燃焼ファン１３で送られる空気によって燃焼を開始し、バーナ９で発生した燃焼炎と燃焼ガスは燃焼室９ａに送られて完全燃焼する。
【００１７】
１６は枠体Ａの前面に配置した温風吹出口、１７は枠体Ａの背面に設けた空気吸込口、１８は温風吹出口１６と空気吸込口１７との間の枠体Ａ内に配置した送風路、１９は空気吸込口１７付近の送風路１８に取付けた室内対流ファンであり、前記バーナ９の一部と燃焼室９ａが送風路１８内に配置され、室内対流ファン１９によって送風路１８内に送られた室内空気と、燃焼室９ａから排出される燃焼排ガスとが送風路１８内で混合し、温風吹出口１６から温風となって吹出す。
【００１８】
図に示す実施例において、２ｃは枠体Ａ及びバーナ９が配置される置台２の中央付近に形成した枠体取付部、２ａは枠体取付部２ｃの周りを囲むように置台２の周縁に形成した床面接触部であり、置台２は枠体取付部２ｃより内側が床面と所定間隔を形成するように高くし、枠体取付部２ｃの外方の床面接触部２ａが床面と接触するように設定している。
温風暖房機を運転すると、バーナ９や送風路１８を流れる温風からの熱で枠体Ａ内が高温となるが、上記の構成であればバーナ９や送風路１８からの熱で床面が直接加熱されないようにして床面の温度上昇を防いでいる。
【００１９】
２ｂは置台２の床面接触部２ａの周縁から上方に伸ばした周壁部であり、周壁部２ｂは床面接触部２ａの周縁を囲むようにして上方へ向けて皿状に形成したものであり、暖房機に振動を与えたり、暖房機を移動する時に燃料タンク１０内の燃料が置台２に落下することがあるが、置台２に落下した燃料は周壁部２ｂに受け止められて床面に流出しないようにしている。
【００２０】
４は略長方形の置台２の四隅のコーナ部を構成する曲線部、５は曲線部４の間に位置する置台２の後部と側部を構成する直線部、６は置台２の前部の曲線部４の間に位置する曲率半径の大きい円弧状に形成した湾曲部であり、置台２の周縁は曲線部４と直線部５と湾曲部６との組み合わせによって構成している。
【００２１】
ところで、床面に直接設置している暖房機は置台を床面と接触させたまま暖房機を移動させると床面に傷がつくことがある。また、フローリングなどの摩擦力が少ない床面に暖房機を設置した時には、地震やその他の衝撃が加わると暖房機が床面を滑ってしまい、暖房機内に備えた対震消火装置が正常に作動しない恐れがある。更に、燃焼ファンや対流ファンを駆動しているモータの作動中に発生する振動が置台を介して床面に伝わって床面と置台との間でカタカタと振動音を発生させることがあった。
【００２２】
この発明は、上記の課題を解決するものであり、７は置台２に着脱自在に装着する保護部材、３は置台２の周壁部２ｂの上縁部分を構成している縁部であり、保護部材７は置台２の周縁を構成している曲線部４を除く直線部５と湾曲部６の中央付近にそれぞれ係合保持しており、保護部材７の一端を周壁部２ｂの縁部３に係合保持し、他端を床面接触部２ａと床面との間に伸ばして床面接触部２ａが直接床面に接触しないようにしている。図４（ａ）に示す保護部材７は保護部材７の間を結んでリング状にして一体に形成しており、置台２の周縁の形状に合わせてリング状に形成した保護部材７を置台２の直線部５と湾曲部６に係合保持させている。
【００２３】
一般的に暖房機の置台２は製造メーカーや暖房機の種類や能力などによってその大きさや形状は様々であり、これらの置台２の周縁を構成している直線部５や湾曲部６の寸法は置台２の大きさや形状によって異なるが、形状には大きな違いはないものである。また、この直線部５や湾曲部６に形成している床面接触部２ａや周壁部２ｂや縁部３の形状も大きな違いはないものである。
【００２４】
この発明では、上記のように置台２の大きさや形状が異なっても、形状が大きく異なることのない置台２の直線部５や湾曲部６に保護部材７を配置し、かつ、置台２の周壁部２ｂの縁部３に保護部材７を係合保持し、一端を床面接触部２ａと床面との間に位置させたから、置台２の大きさや形状に関係なく様々な置台に保護部材７を装着することができるようになり、汎用性の高い保護部材７となった。
【００２５】
また、図４（ｂ）に示すように保護部材７を置台２の曲線部４以外の床面接触部２ａに複数箇所配置するものとしたから、保護部材７は必要な箇所のみに取付けたり、重点的に置台２を保護したい箇所に任意に取付けることができるようになった。また、保護部材７は単片から形成した簡単な部材で構成したから、保護部材７の材料費を低減することができた。
【００２６】
また、保護部材７は押し出し成型により一体に成型した棒状の柔軟性素材から２〜３センチ程度に切り出した単片によって構成したものであり、保護部材７は所定の長さに切り出すだけでよいから、同じ寸法の保護部材７を容易に複数個製造することができるようになって製造コストを低減することができ、保護部材７を安価に提供することができる。
【００２７】
また、従来の保護部材のように置台２の下面全体を覆うようにした保護部材は大変大がかりなものとなっていたが、この発明の保護部材７は２〜３センチ程度の小さな保護部材７を置台２の周縁の直線部５や湾曲部６にそれぞれ配置することで、保護部材７は小さくとも置台２の床面接触部２ａが床面に接触することはなく、簡単な構成で床面を傷から守ることができると共に、保護部材７は柔軟性素材で形成しているから、暖房機の滑り止めと防振効果を得ることができる。
【００２８】
７ａは保護部材７の一端を構成する係合部であり、係合部７ａは断面をＵ字状に形成しており、断面Ｕ字状の係合部７ａは置台２の周壁部２ｂの外側面から連続して縁部３を覆うようにして周壁部２ｂの内側面へ折り曲げて形成している。この係合部７ａをＵ字状に折り曲げたときのＵ字状溝の幅を周壁部２ｂの縁部３の厚みよりも僅かに狭く形成することで、保護部材７の係合部７ａのＵ字状の開口端を広げて縁部３に取り付けると柔軟性素材で形成した係合部７ａが元の形状に戻ろうとする力が働き、縁部３に確実に係合させることができた。この発明の実施例では保護部材７の係合部７ａは断面Ｕ字状に形成してあるが、断面Ｖ字状に形成してもよい。
【００２９】
上記の構成であれば、保護部材７を置台２に装着したまま、暖房機を持ち上げても保護部材７の係合部７ａが置台２の周壁部２ｂの縁部３に係合保持されているから置台２から外れることはないものである。
【００３０】
８は置台２の周壁部２ｂの縁部３を外側にカーリング加工を施したカーリング部であり、このカーリング部８は置台２の大きさや形状に関係なくほぼ同じ形状となっているものである。この発明では保護部材７の係合部７ａを置台２の周壁部２ｂのカーリング部８の形状に沿ってカーリング部８を包み込むように丸めて形成し、かつ、丸めて形成した係合部７ａの内径を置台２の周壁部２ｂのカーリング部８の外径よりも僅かに小さく形成することで、保護部材７の係合部７ａをカーリング部８に装着すると、柔軟性素材で形成した係合部７ａが元の形状に戻ろうとする力が働くことで、係合部７ａがカーリング部８に確実に係合することができた。
【図面の簡単な説明】
【００３１】
【図１】この発明の実施例を示す暖房機の断面図である。
【図２】この発明の実施例を示す要部の断面図である。
【図３】この発明の保護部材を置台に取付けた状態を示す置台の上面図である。
【図４】この発明の保護部材を置台に取付けた状態を示す置台の底面図である。
【図５】この発明の保護部材の斜視図である。
【符号の説明】
【００３２】
Ａ    枠体
１    熱源
２    置台
２ａ  床面接触部
２ｂ  周壁部
３    縁部
４    曲線部
５    直線部
６    湾曲部
７    保護部材
７ａ  係合部
８    カーリング部
【図１】
2007147182.tif 000003
【図２】
2007147182.tif 000004
【図３】
2007147182.tif 000005
【図４】
2007147182.tif 000006
【図５】
2007147182.tif 000007
【手続補正書】
【提出日】平成18年3月23日(2006.3.23)
【手続補正１】
【補正対象書類名】特許請求の範囲
【補正対象項目名】全文
【補正方法】変更
【補正の内容】
【特許請求の範囲】
【請求項１】
暖房装置の熱源と、その熱源を囲むように配置した枠体とが取付けられる床面上に配置される置台であって、
その置台は床面と接する床面接触部と、該床面接触部から外方に立ち上げた周壁部とによって、皿状に形成されており、
前記周壁部の縁部は、４箇所のコーナ部を構成する曲線部と、この曲線部を連続する直線部もしくは曲率半径の大なる湾曲部とによって形成し、
前記床面接触部と床面との間に保護部材が配置された暖房装置の置台において、
前記置台の前記床面接触部から外方に立ち上げた周壁部の先端には縁部を巻き込んだカーリング部を設け、
前記保護部材は柔軟性素材で形成し、該保護部材の一端は、前記置台の周壁部とカーリング部の断面に一致した断面形状を有し、その断面形状によって前記周壁部の縁部のカーリング部に前記置台内面側から外側面に向けて前記保護部材が係合保持すると共に、
前記保護部材の他端部は、前記カーリング部の外側面から前記置台の床面接触部と床面との間に伸ばされており、
前記置台の前記周壁部の、前記曲線部を除く前記直線部もしくは湾曲部が形成された周壁部の縁部にのみに、前記保護部材が配置されていることを特徴とする暖房装置の置台保護部材。
【請求項２】
前記保護部材は前記曲線部以外の床面接触部に複数箇所配置されていることを特徴とする請求項１記載の暖房装置の置台保護部材。
【請求項３】
前記保護部材は同一断面を有する棒状の柔軟性素材から切り出された単辺によって構成され、前期保護部材は４箇所の前期周壁部の直線部もしくは湾曲部にそれぞれ配置されていることを特徴とする請求項２記載の暖房装置の置台保護部材。
【手続補正２】
【補正対象書類名】明細書
【補正対象項目名】０００６
【補正方法】変更
【補正の内容】
【０００６】
この発明は上記の課題を解決するもので、暖房装置の熱源１と、その熱源１を囲むように配置した枠体Ａとが取付けられる床面上に配置される置台２であって、その置台２は床面と接する床面接触部２ａと、該床面接触部２ａから外方に立ち上げた周壁部２ｂとによって、皿状に形成されており、前記周壁部２ｂの縁部３は、４箇所のコーナ部を構成する曲線部４と、この曲線部４を連続する直線部５もしくは曲率半径の大なる湾曲部６とによって形成し、前記床面接触部２ａと床面との間に保護部材７が配置された暖房装置の置台において、前記置台２の前記床面接触部２ａから外方に立ち上げた周壁部２ｂの先端には縁部３を巻き込んだカーリング部８を設け、前記保護部材７は柔軟性素材で形成し、該保護部材７の一端は、前記置台２の周壁部２ｂとカーリング部８の断面に一致した断面形状を有し、その断面形状によって前記周壁部２ｂの縁部３のカーリング部８に前記置台２内面側から外側面に向けて前記保護部材７が係合保持すると共に、前記保護部材７の他端部は、前記カーリング部８の外側面から前記置台２の床面接触部２ａと床面との間に伸ばされており、前記置台２の前記周壁部２ｂの、前記曲線部４を除く前記直線部５もしくは湾曲部６が形成された周壁部２ｂの縁部３にのみに、前記保護部材７が配置されていることを特徴とする。